(57)【要約】【課題】  容易且つ的確に結合離脱することが可能なアジャスタースナップを提供する。【解決手段】  アジャスタースナップ（１）は、複数の引掛部（１２，３２）と、複数の係合部（１３，３３）と、を有する第１エレメント（１０，３０）と、複数の引掛部（１２，３２）の少なくとも１つに引っ掛けることが可能な被引掛部（２２，４２）と、複数の係合部（１３，３３）の少なくとも１つに係合することが可能な被係合部（２３，４３）と、を有する第２エレメント（２０，４０）と、を備えることを特徴とする。【選択図】図１
2017086475.tif 000002
【特許請求の範囲】
【請求項１】
複数の引掛部（１２，３２）と、複数の係合部（１３，３３）と、を有する第１エレメント（１０，３０）と、
前記複数の引掛部（１２，３２）の少なくとも１つに引っ掛けることが可能な被引掛部（２２，４２）と、前記複数の係合部（１３，３３）の少なくとも１つに係合することが可能な被係合部（２３，４３）と、を有する第２エレメント（２０，４０）と、
を備える
ことを特徴とするアジャスタースナップ（１）。
【請求項２】
前記第１エレメント（１０，３０）は、少なくとも１つの前記引掛部（１２，３２）と、前記引掛部（１２，３２）と前記被引掛部（２２，４２）が引っ掛けられた際に前記被係合部（２３，４３）と係合する位置関係にある少なくとも１つの前記係合部（１３，３３）と、が形成される第１基材（１１，３１）を含み、
前記第２エレメント（２０，４０）は、少なくとも１つの前記被引掛部（２２，４２）と、前記引掛部（１２，３２）と前記被引掛部（２２，４２）が引っ掛けられた際に前記係合部（１３，３３）と係合する位置関係にある少なくとも１つの前記被係合部（２３，４３）と、が形成される第２基材（２１，４１）を含む
ことを特徴とする請求項１に記載のアジャスタースナップ（１）。
【請求項３】
前記第１基材（１１，３１）及び前記第２基材（２１，４１）は、板状である
ことを特徴とする請求項２に記載のアジャスタースナップ（１）。
【請求項４】
前記引掛部（１２，３２）は、前記第１基材（１１，３１）の表面（１１ａ，３１ａ）に形成された引掛用凹部（１２ａ，３２ａ）を含み、
前記被引掛部（２２，４２）は、前記第２基材（２１，４１）の表面（２１ａ，４１ａ）に形成された引掛用凸部（２２ａ，４２ａ）を含む
ことを特徴とする請求項２又は３に記載のアジャスタースナップ（１）。
【請求項５】
前記引掛用凹部（１２ａ，３２ａ）は、前記引掛部（１２，３２）と前記被引掛部（２２，４２）が引っ掛けられた際に前記被係合部（２３，４３）と係合する位置関係にある前記係合部（１３，３３）が存在する方向に向けて凹状の湾曲壁面（１２ｂ，３２ｂ）を有し、
前記引掛用凸部（２２ａ，４２ａ）は、前記引掛部（１２，３２）と前記被引掛部（２２，４２）が引っ掛けられた際に前記係合部（１３，３３）と係合する位置関係にある前記被係合部（２３，４３）が存在する方向とは反対方向に向けて凸状の湾曲壁面（２２ｂ，４２ｂ）を有する
ことを特徴とする請求項４に記載のアジャスタースナップ（１）。
【請求項６】
前記凹状の湾曲壁面（１２ｂ，３２ｂ）は、前記引掛用凹部（１２ａ，３２ａ）の底面（１２ｃ，３２ｃ）から前記第１基材（１１，３１）の表面（１１ａ，３１ａ）に向かうに従い、前記引掛部（１２，３２）と前記被引掛部（２２，４２）が引っ掛けられた際に前記被係合部（２３，４３）と係合する位置関係にある前記係合部（１３，３３）が存在する方向に向けて傾斜して形成され、
前記凸状の湾曲壁面（２２ｂ，４２ｂ）は、前記第２基材（２１，４１）の表面（２１ａ，４１ａ）から前記引掛用凸部（２２ａ，４２ａ）の頂面（２２ｃ，４２ｃ）に向かうに従い、前記引掛部（１２，３２）と前記被引掛部（２２，４２）が引っ掛けられた際に前記係合部（１３，３３）と係合する位置関係にある前記被係合部（２３，４３）が存在する方向とは反対方向に向けて傾斜して形成される
ことを特徴とする請求項５に記載のアジャスタースナップ（１）。
【請求項７】
前記係合部（１３）は、前記第１基材（１１，３１）の表面（１１ａ，３１ａ）に形成された係合用凹部（１３ａ）を含み、
前記被係合部（２３）は、前記第２基材（２１，４１）の表面（２１ａ，４１ａ）に形成された係合用凸部（２３ａ）を含む
ことを特徴とする請求項４乃至６のいずれか１つに記載のアジャスタースナップ（１）。
【請求項８】
一部の前記引掛用凹部（１２ａ）と一部の前記係合用凹部（１３ａ）は、連結している
ことを特徴とする請求項７に記載のアジャスタースナップ（１）。
【請求項９】
前記第１基板（１１）には、前記引掛用凹部（１２ａ）と前記係合用凹部（１３ａ）が並ぶ方向に対して直交する方向に溝（１４）が形成される
ことを特徴とする請求項７又は８に記載のアジャスタースナップ（１）。
【請求項１０】
前記第１基材（１１）には、一組の前記引掛用凹部（１２ａ）及び前記係合用凹部（１３ａ）が形成され、
前記第１エレメント（１０）は、複数の前記第１基材（１１）が並べられて形成される
ことを特徴とする請求項７に記載のアジャスタースナップ（１）。
【請求項１１】
前記係合部（３３）は、前記引掛用凹部（３２ａ）の底面（１２ｃ，３２ｃ）に形成された係合用凸部（３３ａ）を含み、
前記被係合部（４３）は、前記引掛用凸部（４２ａ）の頂面（２２ｃ，４２ｃ）に形成された係合用凹部（４３ａ）を含む
ことを特徴とする請求項４乃至６のいずれか１つに記載のアジャスタースナップ（１）。
【請求項１２】
前記第１基材（３１）には、一組の前記引掛用凹部（３２ａ）及び前記係合用凸部（３３ａ）が形成され、
前記第１エレメント（３０）は、複数の前記第１基材（３１）が並べられて形成される
ことを特徴とする請求項１１に記載のアジャスタースナップ（１）。
【請求項１３】
前記係合用凸部（２３ａ，３３ａ）は、先端に円筒状の大径部（２３ｂ，３３ｂ）を有し、
前記係合用凹部（１３ａ，４３ａ）は、底側の側面に前記大径部が嵌合する嵌合部（１３ｂ，４３ｂ）を有する
ことを特徴とする請求項７乃至１２のいずれか１つに記載のアジャスタースナップ（１）。
【発明の詳細な説明】
【技術分野】
【０００１】
本発明は、衣服、バッグ、履物、カーテン等の様々な製品の留め具として使用することができるアジャスタースナップに関する。
【背景技術】
【０００２】
従来、一方のエレメントの係合頭部と他方のエレメントの係合孔部を係合離脱するスナップが開示されている（特許文献１）。このスナップは、係合頭部と係合孔部が係合されている状態で、一方のエレメントの摘み部に指を当てて引き起こすと、一方のエレメントの基部と他方のエレメントの受け部が接触する部分を起点として、一方のエレメントが他方のエレメントに対して傾動し、エレメント間の係合が離脱する。
【先行技術文献】
【特許文献】
【０００３】
【特許文献１】特開２００２−１６５６１５号公報
【発明の概要】
【発明が解決しようとする課題】
【０００４】
しかしながら、特許文献１に記載されたスナップでは、係合頭部と係合孔部を結合する際に、基部と受け部の接触箇所が面同士であって、起点が安定せず、的確に結合できない場合があった。
【０００５】
本発明は、容易且つ的確に結合離脱することが可能なアジャスタースナップを提供することを目的とする。
【課題を解決するための手段】
【０００６】
本発明の一実施形態にかかるアジャスタースナップは、
複数の引掛部と、複数の係合部と、を有する第１エレメントと、
前記複数の引掛部の少なくとも１つに引っ掛けることが可能な被引掛部と、前記複数の係合部の少なくとも１つに係合することが可能な被係合部と、を有する第２エレメントと、
を備える
ことを特徴とする。
【０００７】
前記第１エレメントは、少なくとも１つの前記引掛部と、前記引掛部に対して、前記引掛部と前記被引掛部が引っ掛けられた際に前記被係合部と係合する位置関係にある少なくとも１つの前記係合部と、が形成される第１基材を含み、
前記第２エレメントは、少なくとも１つの前記被引掛部と、前記被引掛部に対して、前記引掛部と前記被引掛部が引っ掛けられた際に前記係合部と係合する位置関係にある少なくとも１つの前記被係合部と、が形成される第２基材を含む
ことを特徴とする。
【０００８】
前記第１基材及び前記第２基材は、板状である
ことを特徴とする。
【０００９】
また、本発明の一実施形態にかかるアジャスタースナップでは、
前記引掛部は、前記第１基材の表面に形成された引掛用凹部を含み、
前記被引掛部は、前記第２基材の表面に形成された引掛用凸部を含む
ことを特徴とする。
【００１０】
前記引掛用凹部は、前記引掛部と前記被引掛部が引っ掛けられた際に前記被係合部と係合する位置関係にある前記係合部が存在する方向に向けて凹状の湾曲壁面を有し、
前記引掛用凸部は、前記引掛部と前記被引掛部が引っ掛けられた際に前記係合部と係合する位置関係にある前記被係合部が存在する方向とは反対方向に向けて凸状の湾曲壁面を有する
ことを特徴とする。
【００１１】
また、本発明の一実施形態にかかるアジャスタースナップでは、
前記凹状の湾曲壁面は、前記引掛用凹部の底面から前記第１基材の表面に向かうに従い、前記引掛部と前記被引掛部が引っ掛けられた際に前記被係合部と係合する位置関係にある前記係合部が存在する方向に向けて傾斜して形成され、
前記凸状の湾曲壁面は、前記第２基材の表面から前記引掛用凸部の頂面に向かうに従い、前記引掛部と前記被引掛部が引っ掛けられた際に前記係合部と係合する位置関係にある前記被係合部が存在する方向とは反対方向に向けて傾斜して形成される
ことを特徴とする。
【００１２】
また、本発明の一実施形態にかかるアジャスタースナップでは、
前記係合部は、前記第１基材の表面に形成された係合用凹部を含み、
前記被係合部は、前記第２基材の表面に形成された係合用凸部を含む
ことを特徴とする。
【００１３】
また、本発明の一実施形態にかかるアジャスタースナップでは、
一部の前記引掛用凹部と一部の前記係合用凹部は、連結している
ことを特徴とする。
【００１４】
また、本発明の一実施形態にかかるアジャスタースナップでは、
前記第１基板には、前記引掛用凹部と前記係合用凹部が並ぶ方向に対して直交する方向に溝が形成される
ことを特徴とする。
【００１５】
また、本発明の一実施形態にかかるアジャスタースナップでは、
前記第１基材には、一組の前記引掛用凹部及び前記係合用凹部が形成され、
前記第１エレメントは、複数の前記第１基材が並べられて形成される
ことを特徴とする。
【００１６】
また、本発明の一実施形態にかかるアジャスタースナップでは、
前記係合部は、前記引掛用凹部の底面に形成された係合用凸部を含み、
前記被係合部は、前記引掛用凸部の頂面に形成された係合用凹部を含む
ことを特徴とする。
【００１７】
また、本発明の一実施形態にかかるアジャスタースナップでは、
前記第１基材には、一組の前記引掛用凹部及び前記係合用凸部が形成され、
前記第１エレメントは、複数の前記第１基材が並べられて形成される
ことを特徴とする。
【００１８】
また、本発明の一実施形態にかかるアジャスタースナップでは、
前記係合用凸部は、先端に円筒状の大径部を有し、
前記係合用凹部は、底側の側面に前記大径部が嵌合する嵌合部を有する
ことを特徴とする。
【発明の効果】
【００１９】
本発明の一実施形態にかかるアジャスタースナップによれば、容易且つ的確に結合離脱することが可能となる。
【図面の簡単な説明】
【００２０】
【図１】本発明にかかる第１実施形態のアジャスタースナップを示す。
【図２】第１実施形態のアジャスタースナップの第１エレメントを示す。
【図３】第１実施形態のアジャスタースナップの第２エレメントを示す。
【図４】第２実施形態のアジャスタースナップの第１エレメントを示す。
【図５】第３実施形態のアジャスタースナップの第１エレメントを示す。
【図６】第４実施形態のアジャスタースナップの第２エレメントを示す。
【図７】第２実施形態のアジャスタースナップを示す。
【図８】本発明にかかる第５実施形態のアジャスタースナップを示す。
【図９】第５実施形態のアジャスタースナップの第１エレメントを示す。
【図１０】第５実施形態のアジャスタースナップの第２エレメントを示す。
【図１１】本発明にかかる他の実施形態のアジャスタースナップを示す。
【図１２】本発明にかかる実施形態のアジャスタースナップを用いた第１例を示す。
【図１３】本発明にかかる実施形態のアジャスタースナップを用いた第２例を示す。
【図１４】本発明にかかる実施形態のアジャスタースナップを用いた第３例を示す。
【発明を実施するための形態】
【００２１】
以下、図面に基づき本発明にかかる一実施形態のアジャスタースナップ１を具体的に説明する。
【００２２】
図１は、本発明にかかる第１実施形態のアジャスタースナップ１を示す。図２は、第１実施形態のアジャスタースナップ１の第１エレメント１０を示す。図３は、第１実施形態のアジャスタースナップ１の第２エレメント２０を示す。
【００２３】
図１（ａ）は第１実施形態の係合前のアジャスタースナップ１の長手方向に延びる中心端面、図１（ｂ）は第１実施形態の係合後のアジャスタースナップ１の長手方向に延びる中心端面を示す。
【００２４】
第１実施形態のアジャスタースナップ１は、第１エレメント１０及び第２エレメント２０を備える。第１エレメント１０及び第２エレメント２０は、弾性又は可撓性を有する樹脂等からなる板状の部材で形成される。第１エレメント１０は第１生地１０１に取り付けられ、第２エレメント２０は第２生地１０２に取り付けられる。第１エレメント１０と第２エレメント２０を係合させることで、第１生地１０１と第２生地１０２を係合させることができる。なお、第１生地１０１及び第２生地１０２は、伸縮性のある材料が好ましい。
【００２５】
第１エレメント１０は、複数の引掛部１２と、複数の係合部１３と、を有する。第２エレメント２０は、複数の引掛部１２の少なくとも１つに引っ掛けることが可能な被引掛部２２と、複数の係合部１３の少なくとも１つに係合することが可能な被係合部２３と、を有する。
【００２６】
第１エレメント１０は、少なくとも１つの引掛部１２と、引掛部１２と被引掛部２２が引っ掛けられた際に被係合部２３と係合する位置関係にある少なくとも１つの係合部１３と、が形成される第１基材１１を含む。第２エレメント２０は、少なくとも１つの被引掛部２２と、引掛部１２と被引掛部２２が引っ掛けられた際に係合部１３と係合する位置関係にある少なくとも１つの被係合部２３と、が形成される第２基材２１を含む。
【００２７】
図２（ａ）は第１実施形態の第１エレメント１０の平面図、図２（ｂ）は図２（ａ）におけるIIb−IIb断面図を示す。
【００２８】
図２に示すように、第１エレメント１０は、長方形で板状の第１基材１１を有する。第１基材１１は複数の引掛部１２と、複数の係合部１３と、を有する。複数の引掛部１２及び係合部１３は、長手方向に交互に並んで形成される。ただし、第１基材１１の長手方向の一方端側の一部に引掛部１２が連続して形成され、他方端側の一部に係合部１３が連続して形成されてもよい。
【００２９】
引掛部１２は、第１基材１１の表面１１ａに形成された引掛用凹部１２ａを含む。引掛用凹部１２ａは、長方形の両長辺を同方向に湾曲させた形状の底面１２ｃのある穴である。引掛用凹部１２ａは、第１基材１１の長手方向と引掛用凹部１２ａの短辺とが平行となるように並んで形成される。引掛用凹部１２ａは、引掛部１２と被引掛部２２が引っ掛けられた際に被係合部２３と係合する位置関係にある係合部１３が存在する方向に向けて凹状の湾曲壁面１２ｂを有する。
【００３０】
凹状の湾曲壁面１２ｂは、引掛用凹部１２ａの底面１２ｃから第１基材１１の表面１１ａに向かうに従い、引掛部１２と被引掛部２２が引っ掛けられた際に被係合部２３と係合する位置関係にある係合部１３が存在する方向に向けて傾斜して形成される。また、湾曲壁面１２ｂは、予め定めた所定の曲率半径で形成されることが好ましい。
【００３１】
係合部１３は、第１基材１１の表面１１ａで、引掛用凹部１２ａに隣接して形成された係合用凹部１３ａを含む。係合用凹部１３ａは、断面円形で底のある穴である。係合用凹部１３ａは、底側の側面に大径となる嵌合部１３ｂを有する。すなわち、係合用凹部１３ａに形成された嵌合部１３ｂの表面側は穴の内側に突出するような形状となる。一部の係合用凹部１３ａは、一部の引掛用凹部１２ａの湾曲壁面１２ｂと連結して形成される。
【００３２】
図３（ａ）は第１実施形態の第２エレメント２０の平面図、図３（ｂ）は図３（ａ）におけるIIIb−IIIb断面図を示す。
【００３３】
図３に示すように、第２エレメント２０は、長方形の短辺のうちの１辺が外側に凸状を向けて湾曲した板状の第２基材２１を有する。第２基材２１には被引掛部２２及び被係合部２３が長手方向に並んで形成される。
【００３４】
被引掛部２２は、第２基材２１の表面２１ａに形成された引掛用凸部２２ａを含む。引掛用凸部２２ａは、第２基材２１の長手方向と引掛用凸部２２ａの短辺とが平行となるように並んで形成される。引掛用凸部２２ａは、引掛部１２と被引掛部２２が引っ掛けられた際に係合部１３と係合する位置関係にある被係合部２３が存在する方向とは反対方向に向けて凸状の湾曲壁面２２ｂを有する。
【００３５】
凸状の湾曲壁面２２ｂは、第２基材２１の表面２１ａから引掛用凸部２２ａの頂面２２ｃに向かうに従い、引掛部１２と被引掛部２２が引っ掛けられた際に係合部１３と係合する位置関係にある被係合部２３が存在する方向とは反対方向に向けて傾斜して形成される。また、湾曲壁面２２ｂは、予め定めた所定の曲率半径で形成されることが好ましい。さらに、引掛用凸部２２ａの湾曲壁面２２ｂは、引掛用凹部１２ａの湾曲壁面１２ｂと同じ形状、同じ曲率半径であることが好ましい。
【００３６】
被係合部２３は、第２基材２１の表面２１ａで、引掛用凸部２２ａに隣接して形成された係合用凸部２３ａを含む。  係合用凸部２３ａは、円筒状の突出部分であり、先端に外周側に膨出した円筒状の大径部２３ｂを有する。大径部２３ｂは、係合部１３の嵌合部１３ｂに嵌合する。係合用凸部２３ａは、円筒状のため空洞となっている内側に変形することができる。
【００３７】
このように、第１エレメント１０と第２エレメント２０を結合する際、係合用凸部２３ａは、内側に変形することができるため、容易に係合用凹部１３ａに挿入することが可能となる。
【００３８】
次に、第１実施形態のアジャスタースナップ１の使用方法について説明する。
【００３９】
まず、図１（ａ）に示すように、第１生地１０１に対して第２生地１０２を引っ張り、第１エレメント１０の引掛用凹部１２ａに第２エレメント２０の引掛用凸部２２ａを差し込む。引掛用凹部１２ａの湾曲壁面１２ｂと引掛用凸部２２ａの湾曲壁面２２ｂは、共に湾曲形状なので、異なる角度で差し込まれたとしても、少しの回転動作で容易に差し込むことが可能となる。特に、同じ形状の場合には、さらに容易に差し込むことが可能となる。
【００４０】
続いて、引掛用凹部１２ａの湾曲壁面１２ｂに引掛用凸部２２ａの湾曲壁面２２ｂを引っ掛け、第２エレメント２０を裏側から押圧して回転させる。このように、回転させるので、起点が安定し、第１エレメント１０と第２エレメント２０を的確に結合することが可能となる。また、第２エレメント２０を引っ張る方向と第２エレメント２０を回転させる方向が同じ方向なので、容易に回転させることが可能となる。
【００４１】
次に、図１（ｂ）に示すように、引掛部１２と被引掛部２２が引っ掛けられた際に係合部１３と係合する位置関係にある被係合部２３の係合用凸部２３ａが係合部１３の係合用凹部１３ａに挿入される。そして、係合用凸部２３ａが係合用凹部１３ａの奥まで差し込まれ、大径部２３ｂが嵌合部１３ｂに係合する。このように、係合用凸部２３ａが係合用凹部１３ａに差し込まれ、大径部２３ｂが嵌合部１３ｂに係合することで、両者が抜けにくくなり、係合状態を強固に保持することが可能となる。
【００４２】
なお、図１に示す例では、引掛用凸部２２ａを引っ掛けた引掛用凹部１２ａを有する引掛部１２に対して、隣り合う引掛用凹部１２ａを一つ飛ばした位置にある係合用凹部１３ａに係合用凸部２３ａが係合する。すなわち、第２エレメント２０の引掛用凸部２２ａと係合用凸部２３ａの間に１つの引掛用凹部１２ａが位置するように結合される。
【００４３】
図４は、第２実施形態のアジャスタースナップ１の第１エレメント１０を示す。
【００４４】
図４（ａ）は第２実施形態の第１エレメント１０の平面図、図４（ｂ）は図４（ａ）におけるIVb−IVb断面図を示す。
【００４５】
図４に示すように、第２実施形態の第１エレメント１０は、第１実施形態の第１エレメント１０の第１基材１１に溝１４を形成したものである。溝１４は、第１基材１１の長辺から、短辺と平行な方向に、引掛用凹部１２ａに向かって形成される。言い換えれば、溝１４は、引掛用凹部１２ａと係合用凹部１３ａが並ぶ方向に対して直交する方向に形成される。溝１４の深さは、引掛用凹部１２ａと同程度が好ましい。第１エレメント１０の溝１４が形成された部分は、溝１４に沿って容易に破断できる強度とする。
【００４６】
このように、第２実施形態のアジャスタースナップ１は、溝１４を形成することで、溝１４に沿って容易に破断することができ、第１エレメント１０を取り付ける部分の形状の自由度を高くすることが可能となる。例えば、溝１４に沿って破断することで、円形等の複雑な形状の外周面に沿って第１エレメント１０を取り付けることが可能となる。
【００４７】
図５は、第３実施形態のアジャスタースナップ１の第１エレメント１０を示す。
【００４８】
図５（ａ）は第３実施形態の第１エレメント１０の平面図、図５（ｂ）は図５（ａ）におけるVb−Vb断面図を示す。
【００４９】
図５に示すように、第３実施形態の第１エレメント１０は、正方形又は長方形で板状の第１基材１１を有する。第１基材１１は、１組の引掛部１２及び係合部１３が形成される。
【００５０】
引掛部１２は、第１基材１１の表面１１ａに形成された少なくとも１つの引掛用凹部１２ａを含む。引掛用凹部１２ａは、引掛部１２と被引掛部２２が引っ掛けられた際に被係合部２３と係合する位置関係にある係合部１３が存在する方向に向けて凹状の湾曲壁面１２ｂを有する。
【００５１】
凹状の湾曲壁面１２ｂは、引掛用凹部１２ａの底面１２ｃから第１基材１１の表面１１ａに向かうに従い、引掛部１２と被引掛部２２が引っ掛けられた際に被係合部２３と係合する位置関係にある係合部１３が存在する方向に向けて傾斜して形成される。また、湾曲壁面１２ｂは、予め定めた所定の曲率半径で形成されることが好ましい。
【００５２】
係合部１３は、第１基材１１の表面１１ａで、引掛用凹部１２ａに隣接して形成された係合用凹部１３ａを含む。係合用凹部１３ａは、断面円形で底のある穴である。係合用凹部１３ａは、底側の側面に大径となる嵌合部１３ｂを有する。すなわち、係合用凹部１３ａに形成された嵌合部１３ｂの表面側は穴の内側に突出するような形状となる。一部の係合用凹部１３ａは、一部の引掛用凹部１２ａの湾曲壁面１２ｂと連結して形成される。
【００５３】
このように、第３実施形態のアジャスタースナップ１は、１つの第１基材１１に１組の引掛部１２及び係合部１３を形成して、複数並べることで第１エレメント１０を形成するので、第１エレメント１０を必要な数だけ効率的に使用することが可能となる。したがって、第１エレメント１０を小型に形成することが可能となる。
【００５４】
図６は、第４実施形態のアジャスタースナップ１の第２エレメント２０を示す。図７は、第４実施形態のアジャスタースナップ１を示す。
【００５５】
図６（ａ）は第４実施形態の第２エレメント２０の平面図、図６（ｂ）は図６（ａ）におけるVIb−VIb断面図を示す。図６に示す第２エレメント２０は、引掛用凸部２２ａと係合用凸部２３ａの間隔が、図３に示した第１実施形態の第２エレメント２０よりも短い。
【００５６】
図６に示すように、第２エレメント２０は、長方形又は正方形の１辺が外側に凸状を向けて湾曲した板状の第２基材２１を有する。第２基材２１には被引掛部２２及び被係合部２３が並んで形成される。
【００５７】
被引掛部２２は、第２基材２１の表面２１ａに形成された引掛用凸部２２ａを含む。引掛用凸部２２ａは、第２基材２１の長手方向と引掛用凸部２２ａの短辺とが平行となるように並んで形成される。引掛用凸部２２ａは、引掛部１２と被引掛部２２が引っ掛けられた際に係合部１３と係合する位置関係にある被係合部２３が存在する方向とは反対方向に向けて凸状の湾曲壁面２２ｂを有する。
【００５８】
凸状の湾曲壁面２２ｂは、第２基材２１の表面２１ａから引掛用凸部２２ａの頂面２２ｃに向かうに従い、引掛部１２と被引掛部２２が引っ掛けられた際に係合部１３と係合する位置関係にある被係合部２３が存在する方向とは反対方向に向けて傾斜して形成される。また、湾曲壁面２２ｂは、予め定めた所定の曲率半径で形成されることが好ましい。さらに、引掛用凸部２２ａの湾曲壁面２２ｂは、引掛用凹部１２ａの湾曲壁面１２ｂと同じ形状、同じ曲率半径であることが好ましい。
【００５９】
被係合部２３は、第２基材２１の表面２１ａで、引掛用凸部２２ａに隣接して形成された係合用凸部２３ａを含む。  係合用凸部２３ａは、円筒状の突出部分であり、先端に外周側に膨出した円筒状の大径部２３ｂを有する。大径部２３ｂは、係合部１３の嵌合部１３ｂに嵌合する。係合用凸部２３ａは、円筒状のため空洞となっている内側に変形することができる。
【００６０】
このように、第１エレメント１０と第２エレメント２０を結合する際、係合用凸部２３ａは、内側に変形することができるため、容易に係合用凹部１３ａに挿入することが可能となる。
【００６１】
図７（ａ）は係合前の第４実施形態のアジャスタースナップ１の端面、図７（ｂ）は係合後の第４実施形態のアジャスタースナップ１の端面を示す。ここで、第１エレメント１０は、第１実施形態の第１エレメント１０を使用している。第４実施形態のアジャスタースナップ１は、引掛用凸部２２ａを引っ掛けた引掛用凹部１２ａに対して、隣り合う係合用凹部１３ａに係合用凸部２３ａが係合する。
【００６２】
このように、１つの第２基材２１に１組の引掛用凸部２２ａ及び係合用凸部２３ａを形成して、１つの第２エレメント２０を形成するので、第２エレメント２０を小型に形成することが可能となる。また、例えば、第３実施形態の第１エレメント１０と共に用いることで、アジャスタースナップ１全体を小型に形成することが可能となる。
【００６３】
図８は、本発明にかかる第５実施形態のアジャスタースナップ１を示す。図９は、第５実施形態のアジャスタースナップ１の第１エレメント３０を示す。図１０は、第５実施形態のアジャスタースナップ１の第２エレメント４０を示す。
【００６４】
図８（ａ）は第５実施形態の係合前のアジャスタースナップ１の端面、図８（ｂ）は第５実施形態の係合後のアジャスタースナップ１の端面を示す。
【００６５】
第５実施形態のアジャスタースナップ１は、第１エレメント３０及び第２エレメント４０を備える。第１エレメント３０及び第２エレメント４０は、弾性又は可撓性を有する樹脂等からなる板状の部材で形成される。第１エレメント３０は生地１０１に取り付けられ、第２エレメント４０は生地１０２に取り付けられる。第１エレメント３０と第２エレメント４０を係合させることで、生地１０１と生地１０２を係合させることができる。
【００６６】
図９（ａ）は第５実施形態の第１エレメント３０の平面図、図９（ｂ）は図９（ａ）におけるIXb−IXb断面図を示す。
【００６７】
図９に示すように、第１エレメント３０は、正方形又は長方形で板状の第１基材３１を有する。第１基材３１には引掛部３２及び係合部３３が形成される。
【００６８】
引掛部３２は、第１基材３１の表面３１ａに形成された引掛用凹部３２ａを含む。引掛用凹部３２ａは、１辺が内側に向けて凹状に湾曲し、他の３辺が第１基材３１に平行となるように形成される底面３２ｃのある穴である。引掛用凹部３２ａは、引掛部３２と被引掛部４２が引っ掛けられた際に係合部４３と係合する位置関係にある被係合部３３が存在する方向に向けて凹状の湾曲壁面３２ｂを有する。
【００６９】
凹状の湾曲壁面３２ｂは、引掛用凹部３２ａの底面３２ｃから第１基材３１の表面３１ａに向かうに従い、引掛部３２と被引掛部４２が引っ掛けられた際に係合部４３と係合する位置関係にある被係合部３３が存在する方向に向けて傾斜して形成される。また、湾曲壁面３２ｂは、予め定めた所定の曲率半径で形成されることが好ましい。
【００７０】
係合部３３は、引掛用凹部３２ａ内で底面３２ｃに形成された係合用凸部３３ａを含む。係合用凸部３３ａは、円筒状の突出部分であり、先端に外周側に膨出した円筒状の大径部３３ｂを有する。大径部３３ｂは、後述する被係合部４３の嵌合部４３ｂに嵌合する。係合用凸部３３ａは、円筒状のため空洞となっている内側に変形することができる。
【００７１】
このように、第１エレメント３０と第２エレメント４０を結合する際、係合用凸部３３ａは、内側に変形することができるため、容易に後述する係合用凹部４３ａに挿入することが可能となる。
【００７２】
第１エレメント３０は、このような第１基材３１を複数個並べて使用することが好ましい。
【００７３】
図１０（ａ）は第５実施形態の第２エレメント４０の平面図、図１０（ｂ）は図１０
（ａ）におけるXb−Xb断面図を示す。
【００７４】
図１０に示すように、第２エレメント４０は、長方形又は正方形の１辺が外側に凸状を向けて湾曲した板状の第２基材４１を有する。第２基材４１には被引掛部４２及び被係合部４３が並んで形成される。
【００７５】
被引掛部４２は、第２基材４１の表面４１ａに形成された引掛用凸部４２ａを含む。引掛用凸部４２ａは、引掛部３２と被引掛部４２が引っ掛けられた際に係合部３３と係合する位置関係にある被係合部４３が存在する方向とは反対方向に向けて凸状の湾曲壁面４２ｂを有する。
【００７６】
凸状の湾曲壁面４２ｂは、第２基材４１の表面４１ａから引掛用凸部４２ａの頂面４２ｃに向かうに従い、引掛部３２と被引掛部４２が引っ掛けられた際に被係合部３３と係合する位置関係にある係合部４３が存在する方向とは反対方向に向けて傾斜して形成される。また、湾曲壁面４２ｂは、予め定めた所定の曲率半径で形成されることが好ましい。さらに、引掛用凸部４２ａの湾曲壁面４２ｂは、引掛用凹部３２ａの湾曲壁面３２ｂと同じ形状、同じ曲率半径であることが好ましい。
【００７７】
係合部４３は、引掛用凸部４２ａの表面４２ｃに形成された係合用凹部４３ａを含む。係合用凹部４３ａは、断面円形で底のある穴である。係合用凹部４３ａは、底側の側面に大径となる嵌合部４３ｂを有する。すなわち、係合用凹部４３ａに形成された嵌合部４３ｂの表面側は穴の内側に突出するような形状となる。
【００７８】
次に、第５実施形態のアジャスタースナップ１の使用方法について説明する。
【００７９】
まず、図８（ａ）に示すように、第１生地１０１に対して第２生地１０２を引っ張り、第１エレメント３０の引掛用凹部３２ａに第２エレメント４０の引掛用凸部４２ａを差し込む。引掛用凹部３２ａの湾曲壁面３２ｂと引掛用凸部４２ａの湾曲壁面４２ｂは、共に湾曲形状なので、異なる角度で差し込まれたとしても、少しの回転動作で容易に差し込むことが可能となる。特に、同じ形状の場合には、さらに容易に差し込むことが可能となる。
【００８０】
続いて、引掛用凹部３２ａの湾曲壁面３２ｂに引掛用凸部４２ａの湾曲壁面４２ｂを引っ掛け、第２エレメント４０を裏側から押圧して回転させる。このように、回転させるので、起点が安定し、第１エレメント３０と第２エレメント４０を的確に結合することが可能となる。また、第２エレメント４０を引っ張る方向と第２エレメント４０を回転させる方向が同じ方向なので、容易に回転させることが可能となる。
【００８１】
次に、図８（ｂ）に示すように、引掛部３２と被引掛部４２が引っ掛けられた際に係合部４３と係合する位置関係にある被係合部３３の係合用凸部３３ａが係合部４３の係合用凹部４３ａに挿入される。そして、係合用凸部３３ａが係合用凹部４３ａの奥まで差し込まれ、大径部３３ｂが嵌合部４３ｂに係合する。このように、係合用凸部３３ａが係合用凹部４３ａに差し込まれ、大径部３３ｂが嵌合部４３ｂに係合することで、両者が抜けにくくなり、係合状態を強固に保持することが可能となる。
【００８２】
図１１は、本発明にかかる他の実施形態のアジャスタースナップ１を示す。
【００８３】
図１〜１０に示したアジャスタースナップ１の第１エレメント１０，３０と第２エレメント２０，４０は、いずれも生地１０１，１０２に対して、接着剤又は縫製等で結合していた。図１１に示す例のエレメント５０は、かしめ部５１を有し、かしめ部５１を生地にかしめることで取り付けられている。
【００８４】
このようにかしめ部５１を生地にかしめることでエレメント５０を取り付けることができるので、取り付け強度を高くすることができる。また、取り付ける生地の選択の幅が拡がり、設計の自由度を高くすることが可能となる。
【００８５】
図１２は、本発明にかかる実施形態のアジャスタースナップ１を用いた第１例を示す。
【００８６】
第１例では、帽子Ｃの頭囲サイズを変更するために、アジャスタースナップ１を用いる。帽子Ｃはキャップ型が好ましい。帽子Ｃの後方の第１変更ベルトを第１生地１０１として、第１エレメント１０を設け、第１変更ベルトに対向する第２変更ベルトを第２生地１０２として、第２エレメント２０を設ける。
【００８７】
このような構造の帽子Ｃに設けたアジャスタースナップ１を図１に示したように使用することによって、帽子Ｃの頭囲サイズを変更しながら、結合することが可能となる。
【００８８】
図１３は、本発明にかかる実施形態のアジャスタースナップ１を用いた第２例を示す。
【００８９】
第２例では、リストバンドＬの巻き付けサイズを変更するために、アジャスタースナップ１を用いる。リストバンドＬの一端を第１生地１０１として、第１エレメント１０を設け、リストバンドＬの他端を第２生地１０２として、第２エレメント２０を設ける。
【００９０】
このような構造のリストバンドＬに設けたアジャスタースナップ１を図１に示したように使用することによって、リストバンドＬの巻き付けサイズを変更しながら、結合することが可能となる。
【００９１】
図１４は、本発明にかかる実施形態のアジャスタースナップ１を用いた第３例を示す。
【００９２】
第３例では、女性用スポーツブラＢの巻き付けサイズを変更するために、アジャスタースナップ１を用いる。女性用スポーツブラＢの巻き付けベルトの基端を第１生地１０１として、第１エレメント１０を設け、女性用スポーツブラＢの巻き付けベルトの他端を第２生地１０２として、第２エレメント２０を設ける。
【００９３】
このような構造の女性用スポーツブラＢに設けたアジャスタースナップ１を図１に示したように使用することによって、女性用スポーツブラＢの巻き付けサイズを変更しながら、結合することが可能となる。
【００９４】
以上、本実施形態のアジャスタースナップ１によれば、複数の引掛部１２，３２と、複数の係合部１３，３３と、を有する第１エレメント１０，３０と、複数の引掛部１２，３２の少なくとも１つに引っ掛けることが可能な被引掛部２２，４２と、複数の係合部１３，３３の少なくとも１つに係合することが可能な被係合部２３，４３と、を有する第２エレメント２０，４０と、を備えるので、容易且つ的確にサイズを変更しながら結合離脱することが可能となる。
【００９５】
また、本実施形態のアジャスタースナップ１によれば、第１エレメント１０，３０は、少なくとも１つの引掛部１２，３２と、引掛部１２，３２と被引掛部２２，４２が引っ掛けられた際に被係合部２３，４３と係合する位置関係にある少なくとも１つの係合部１３，３３と、が形成される第１基材１１，３１を含み、第２エレメント２０，４０は、少なくとも１つの被引掛部２２，４２と、引掛部１２，３２と被引掛部２２，４２が引っ掛けられた際に係合部１３，３３と係合する位置関係にある少なくとも１つの被係合部２３，４３と、が形成される第２基材２１，４１を含むので、引掛部１２，３２と被引掛部２２，４２が引っ掛けられた際に、係合部１３，３３と被係合部２３，４３が調節することなく係合する位置関係になり、容易且つ的確に結合離脱することが可能となる。
【００９６】
また、本実施形態のアジャスタースナップ１によれば、第１基材１１，３１及び第２基材２１，４１は、板状であるので、薄型に形成することが可能となる。
【００９７】
また、本実施形態のアジャスタースナップ１によれば、引掛部１２，３２は、第１基材１１，３１の表面１１ａ，３１ａに形成された引掛用凹部１２ａ，３２ａを含み、被引掛部２２，４２は、第２基材２１，４１の表面２１ａ，４１ａに形成された引掛用凸部２２ａ，４２ａを含むので、どちらも表面を加工するのみの簡単な構造で形成することが可能となる。
【００９８】
また、本実施形態のアジャスタースナップ１によれば、引掛用凹部１２ａ，３２ａは、引掛部１２，３２と被引掛部２２，４２が引っ掛けられた際に被係合部２３，４３と係合する位置関係にある係合部１３，３３が存在する方向に向けて凹状の湾曲壁面１２ｂ，３２ｂを有し、引掛用凸部２２ａ，４２ａは、引掛部１２，３２と被引掛部２２，４２が引っ掛けられた際に被係合部２３，４３と係合する位置関係にある被係合部２３，４３が存在する方向とは反対方向に向けて凸状の湾曲壁面２２ｂ，４２ｂを有するので、引掛用凹部１２ａ，３２ａに対して引掛用凸部２２ａ，４２ａが斜めから異なる角度で差し込まれたとしても、少しの回転動作で容易に差し込むことが可能となる。
【００９９】
また、本実施形態のアジャスタースナップ１によれば、凹状の湾曲壁面１２ｂ，３２ｂは、引掛用凹部１２ａ，３２ａの底面１２ｃ，３２ｃから第１基材１１，３１の表面１１ａ，３１ａに向かうに従い、引掛部１２，３２と被引掛部２２，４２が引っ掛けられた際に被係合部２３，４３と係合する位置関係にある係合部１３，３３が存在する方向に向けて傾斜して形成され、凸状の湾曲壁面２２ｂ，４２ｂは、第２基材２１，４１の表面２１ａ，４１ａから引掛用凸部２２ａ，４２ａの頂面２２ｃ，４２ｃに向かうに従い、引掛部１２，３２と被引掛部２２，４２が引っ掛けられた際に被係合部２３，４３と係合する位置関係にある被係合部２３，４３が存在する方向とは反対方向に向けて傾斜して形成されるので、容易に差し込むことが可能となる。
【０１００】
また、本実施形態のアジャスタースナップ１によれば、係合部１３は、第１基材１１，３１の表面１１ａ，３１ａに形成された係合用凹部１３ａを含み、被係合部２３は、第２基材２１，４１の表面２１ａ，４１ａに形成された係合用凸部２３ａを含むので、第１エレメント１０に対して第２エレメント２０を回転させる際の起点が安定し、第１エレメント１０と第２エレメント２０を的確に結合することが可能となる。
【０１０１】
また、本実施形態のアジャスタースナップ１によれば、一部の引掛用凹部１２ａと一部の係合用凹部１３ａは、連結しているので、係合用凹部１３ａの変形が容易になり、係合用凸部２３ａを係合用凹部１３ａに容易に差し込むことが可能となる。
【０１０２】
また、本実施形態のアジャスタースナップ１によれば、第１基板１１には、引掛用凹部１２ａと係合用凹部１３ａが並ぶ方向に対して直交する方向に溝１４が形成されるので、溝１４に沿って容易に破断することができ、第１エレメント１０を取り付ける部分の形状の自由度を高くすることが可能となる。
【０１０３】
また、本実施形態のアジャスタースナップ１によれば、第１基材１１には、一組の引掛用凹部１２ａ及び係合用凹部１３ａが形成され、第１エレメント１０は、複数の第１基材１１が並べられて形成されるので、第１エレメント１０を必要な数だけ効率的に使用することが可能となる。したがって、第１エレメント１０を小型に形成することが可能となる。
【０１０４】
また、本実施形態のアジャスタースナップ１によれば、係合部３３は、引掛用凹部３２ａの底面１２ｃ，３２ｃに形成された係合用凸部３３ａを含み、被係合部４３は、引掛用凸部４２ａの頂面２２ｃ，４２ｃに形成された係合用凹部４３ａを含むので、第１エレメント１０に対して第２エレメント２０を回転させる際の起点が安定し、第１エレメント１０と第２エレメント２０を的確に結合することが可能となる。
【０１０５】
また、本実施形態のアジャスタースナップ１によれば、第１基材３１には、一組の引掛用凹部３２ａ及び係合用凸部３３ａが形成され、第１エレメント３０は、複数の第１基材３１が並べられて形成されるので、第１エレメント１０を必要な数だけ効率的に使用することが可能となる。したがって、第１エレメント１０を小型に形成することが可能となる。
【０１０６】
また、本実施形態のアジャスタースナップ１によれば、係合用凸部２３ａ，３３ａは、先端に円筒状の大径部２３ｂ，３３ｂを有し、係合用凹部１３ａ，４３ａは、底側の側面に大径部が嵌合する嵌合部１３ｂ，４３ｂを有するので、両者が抜けにくくなり、係合状態を強固に保持することが可能となる。
【０１０７】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【０１０８】
１…アジャスタースナップ
１０，３０…第１エレメント
１１，３１…第１基材
１２，３２…引掛部
１２ａ，３２ａ…引掛用凹部
１２ｂ，３２ｂ…湾曲壁面
１３，３３…係合部
１３ａ，３３ａ…係合用凹部
１３ｂ，４３ｂ…嵌合部
２０，４０…第２エレメント
２１，４１…第２基材
２２，４２…被引掛部
２２ａ，４２ａ…引掛用凸部
２２ｂ，４２ｂ…湾曲壁面
２３，４３…被係合部
２３ａ，３３ａ…係合用凸部
２３ｂ，３３ｂ…大径部
【図１】
2017086475.tif 000003
【図２】
2017086475.tif 000004
【図３】
2017086475.tif 000005
【図４】
2017086475.tif 000006
【図５】
2017086475.tif 000007
【図６】
2017086475.tif 000008
【図７】
2017086475.tif 000009
【図８】
2017086475.tif 000010
【図９】
2017086475.tif 000011
【図１０】
2017086475.tif 000012
【図１１】
2017086475.tif 000013
【図１２】
2017086475.tif 000014
【図１３】
2017086475.tif 000015
【図１４】
2017086475.tif 000016